(57)【要約】  本発明は人体（１３）を自動的に被覆する装置（２５）とその方法である。装置は人体（１３）全体を収容しカバーする被覆室（２６）と、人体（１３）の皮膚に塗布予定の液体状製剤を収容する製剤容器（３０）と少なくとも一つのノズルアセンブリとを含む。ノズルアセンブリは被覆室（２６）に設けられ、製剤容器（３０）から塗布液体を受け取り、被覆室（２６）内の人体（１３）の皮膚に噴射する。人体（１３）を自動的に被覆する装置（２５）は、全身の皮膚を均一にコーティングし、増粘剤やポリマーなどの不必要な成分を減らすことができ、環境の影響を受けなく、人体（１３）に塗布液体を均一に塗布することを確保する。【選択図】図６
2019533574.tif 000002
【特許請求の範囲】
【請求項１】
人の身体全体を収容しカバーする被覆室と、
人体の皮膚に塗布する液体状製剤を収容する製剤容器と、
前記被覆室に設けられ、前記製剤容器からプレコート液を受入して前記被覆室内の人の体の皮膚に噴射する少なくとも一つのノズルアセンブリと、を備える、
ことを特徴とする人体自動被覆装置。
【請求項２】
人体全体に被覆される液体を均一に被覆するように、被覆される人の身体に対してほぼ水平または垂直な平面で前記ノズルアセンブリを連続的に移動するノズルアセンブリ移動部および／または回転部をさらに含む、
ことを特徴とする請求項１に記載の人体自動被覆装置。
【請求項３】
垂直方向、水平方向または径方向に整列する二つ以上の前記ノズルアセンブリを備える、
ことを特徴とする請求項１に記載の人体自動被覆装置。
【請求項４】
前記ノズルアセンブリは霧化ノズル、多口継手、逆止弁及び電磁弁を含み、前記多口継手の第一端は前記霧化ノズルに接続され、前記多口継手の第二端は前記逆止弁の一端に接続され、前記逆止弁の他端は前記製剤容器に接続され、前記製剤容器は前記逆止弁に接続され、前記多口継手の第三端は前記電磁弁に接続する配管に接続される、
ことを特徴とする請求項１乃至３のいずれか１項に記載の人体自動被覆装置。
【請求項５】
前記電磁弁に接続する配管の他端に製剤組成バランス装置が接続される、
ことを特徴とする請求項４に記載の人体自動被覆装置。
【請求項６】
前記ノズルアセンブリのスイッチが設けられ、
前記ノズルアセンブリの前記スイッチは各前記ノズルアセンブリの噴射を個別に制御できる、
ことを特徴とする請求項１に記載の人体自動被覆装置。
【請求項７】
前記霧化ノズルから噴出された液体と被覆対象の体の周囲の空気を独立に循環させる循環装置を含み、
前記循環装置によって前記霧化ノズルから噴出されたが人体の皮膚に吸収されない残留噴霧を収集する、
ことを特徴とする請求項１に記載の人体自動被覆装置。
【請求項８】
前記循環装置は排気ファンである、
ことを特徴とする請求項７に記載の人体自動被覆装置。
【請求項９】
前記被覆室内で前記霧化ノズルから噴出されたが人の皮膚に受けられていない部分噴霧を収集する収集部をさらに含む、
ことを特徴とする請求項１に記載の人体自動被覆装置。
【請求項１０】
前記収集部は排気ファンの隣に設けられるフィルタである、
ことを特徴とする請求項９に記載の人体自動被覆装置。
【請求項１１】
前記フィルタによって収集された噴霧を処理する収集噴霧処理装置をさらに備える、
ことを特徴とする請求項１０に記載の人体自動被覆装置。
【請求項１２】
前記被覆室は天板、底板、側板、開口、前柱及び後柱を含み、前記開口は被覆対象が出入りするための出入口であり、前記ノズルアセンブリは前記前柱に設けられる、
ことを特徴とする請求項１に記載の人体自動被覆装置。
【請求項１３】
前記ノズルアセンブリに電気加熱部が設置され、プレコートされる液体を加熱してから人体をコーティングすることができる、
ことを特徴とする請求項１に記載の人体自動被覆装置。
【請求項１４】
請求項１乃至１３のいずれか１項に記載の人体自動被覆装置を使用して、
所定の人体皮膚ための塗料組成物を提供するステップ（１）と、
所定の速度で人体皮膚の前記塗料組成物を霧化するステップ（２）と、
霧化した組成物を被覆対象の身体の少なくとも一部に被覆するステップ（３）と、
人体に被覆されていない霧化噴霧を収集するステップ（４）と、
被覆対象の身体に堆積していない部分霧化噴霧を収集するステップ（５）と、を含む、
ことを特徴とする人体自動被覆方法。
【請求項１５】
前記ステップ（１）と前記ステップ（２）との間で、さらに前記塗料組成物を希釈し加熱する、
ことを特徴とする請求項１４に記載の人体自動被覆方法。
【請求項１６】
前記塗料組成物は所定の老化防止組成物である、
ことを特徴とする請求項１４に記載の人体自動被覆方法。
【請求項１７】
前記塗料組成物を霧化する前記ステップ（２）において、少なくとも一つのＨＶＬＰノズルと少なくとも一つの気孔で霧化噴霧を発生させる、
ことを特徴とする請求項１４に記載の人体自動被覆方法。
【請求項１８】
前記塗料組成物は所定の皮膚増白組成物である、
ことを特徴とする請求項１４に記載の人体自動被覆方法。
【請求項１９】
前記塗料組成物は、皮膚増白、皮膚美白、日焼け止め、および水を含むバランシング組成物を含む、
ことを特徴とする請求項１４に記載の人体自動被覆方法。
【請求項２０】
前記塗料組成物が複数の小径孔を通過する、
ことを特徴とする請求項１４に記載の人体自動被覆方法。
【発明の詳細な説明】
【技術分野】
【０００１】
本発明は、人体または人体の一部に液体を自動的に被覆するシステムに関し、特に人体を自動的に被覆する人体被覆装置および人体被覆方法に関する。
【背景技術】
【０００２】
流体を人体や人体の一部に塗布する応用は昔からある。流体を人体や人体の一部に塗布する応用は長い間あるが、基本的には手で流体を身体に塗布する。手作業で流体を人体に塗布することには多くの欠点がある。まず、人の手作業で流体を人体に均一に塗布することは困難で、小型スプレーボトルなどが発明されたとしても、手作業で均一に噴霧することは困難である。次に、適切に人体の一部に流体を塗布するためには、他人の協力が必要になる。
【０００３】
現在美白脱斑製品は市場で様々な形で現れており、乳液状、クリーム状、スプレー状などの製品がある。これらの製品は化学活性を持つ皮膚着色剤と、保湿剤、防腐剤、抗菌物質、増粘剤、溶剤、乳化剤、香水、界面活性剤、日焼け止め剤、ＰＨ剤、ブロッキング防止剤又は成分変化発色反応物質などとの組成物である。
【０００４】
これらの製品のユーザーは美白／美白成分を皮膚に塗布すると、従来の塗布方法により明らかに下記の問題がある。
１、手作業で塗布するのは不均一で、時間がかかる。
２、液体が塗布された後、適切に乾燥しなければ、液体成分は一定の時間内に縞や斑点を形成する。結果としては非常に不均一な外観になり、明るいか暗い縞（ストライプ）や斑点が形成される。
３、手で製剤を塗布する場合、身体の一部はより強い反応を起こす。この差動反応はある皮膚組織がより多くの製剤吸収し、ある組織がより多くの製剤を保持するためである。その結果、製剤が手動で塗布されるため、ある組織(例えば、肘や膝や掌の緻密な組織のしわなど)はより多くの製剤を吸収し、製剤が人体に均一に分布しにくくなる。
４、多くの製品設計は手作業での応用に必要な成分(増粘剤やポリマーなど)が製品の効果を抑制することが多い。
５、ユーザー自身で乳液を体の各部に塗布するのが難しい。
６、ユーザー自身が手で塗布する製剤は環境の影響を受けやすく、塗布効果に影響を与える。
【０００５】
これらすべての問題があるが、美白／増白での使用が流行しているので、明らかに、上記の問題を解決するための優れた応用システムが必要である。
【０００６】
優れた応用システムを必要とする他の応用は限定しないが、皮膚増白剤、皮膚美白剤、老化防止剤、栄養素やビタミン、炙治療、防虫剤、皮膚爽快剤、皮膚漂白剤、日焼け止め、抗菌組成物、保湿物質、角質除去物質、日焼け促進剤、マッサージ補助剤、筋弛緩剤、皮膚処理剤、火傷治療薬、汚れ除去剤、日焼け止めクリーム、化粧品、しわ除去剤などを含む。
【０００７】
これらの各製品に関連する手作業による塗布は顕著な問題がある。美白／増白の応用はこれらの製品を手作業で塗布するときに、通常直面する問題の典型的な例である。美白／増白はコーティングの均一性を最も求める分野であり、均一と統一感の外観を保証する鍵の一つである。
【０００８】
従来技術に存在する問題を克服して、均一性の高い要求を達成する、人体自動被覆装置と人体自動被覆方法が必要である。
【発明の概要】
【発明が解決しようとする課題】
【０００９】
本発明の目的は、従来技術の問題を克服するため、自動的に均一に製剤を人体の各必要部位に塗布して、手作業で被覆する必要があるが人体にとって余分な成分を減らして、被覆効果が高く、健康で環境に配慮して、資源を節約できる、人体自動被覆装置及び人体自動被覆方法を提供する。
【課題を解決するための手段】
【００１０】
本発明の人体自動被覆装置は、人の身体全体を収容しカバーする被覆室と、人体の皮膚に塗布する液体状製剤を収容する製剤容器と、前記被覆室に設けられ、前記製剤容器からプレコート液を受入して前記被覆室内の人の体の皮膚に噴射する少なくとも一つのノズルアセンブリを備える。
【００１１】
好ましくは、人体自動被覆装置は、人体全体に被覆される液体を均一に被覆するように、被覆される人の身体に対してほぼ水平または垂直な平面で前記ノズルアセンブリを連続的に移動するノズルアセンブリ移動部および／または回転部をさらに含む。
【００１２】
好ましくは、人体自動被覆装置は、垂直方向、水平方向または径方向に整列する二つ以上の前記ノズルアセンブリを備える。
【００１３】
好ましくは、前記ノズルアセンブリは霧化ノズル、多口継手、逆止弁及び電磁弁を含み、前記多口継手の第一端は前記霧化ノズルに接続され、前記多口継手の第二端は前記逆止弁の一端に接続され、前記逆止弁の他端は前記製剤容器に接続され、前記製剤容器は前記逆止弁に接続され、前記多口継手の第三端は前記電磁弁に接続する配管に接続される。
【００１４】
好ましくは、前記電磁弁に接続する配管の他端に製剤組成バランス装置が接続される。
【００１５】
好ましくは、人体自動被覆装置には前記ノズルアセンブリのスイッチが設けられ、前記ノズルアセンブリの前記スイッチは各前記ノズルアセンブリの噴射を個別に制御できる。
【００１６】
好ましくは、人体自動被覆装置は、前記霧化ノズルから噴出された液体と被覆対象の体の周囲の空気を独立に循環させる循環装置を含み、前記循環装置によって前記霧化ノズルから噴出されたが人体の皮膚に吸収されない残留噴霧を収集する。
【００１７】
好ましくは、前記循環装置は排気ファンである。
【００１８】
好ましくは、人体自動被覆装置は、前記被覆室内で前記霧化ノズルから噴出されたが人の皮膚に受けられていない部分噴霧を収集する収集部をさらに含む。
【００１９】
好ましくは、前記収集部は排気ファンの隣に設けられるフィルタである。
【００２０】
好ましくは、前記被覆室は天板、底板、側板、開口、前柱及び後柱を含み、前記開口は被覆対象が出入りするための出入口であり、前記ノズルアセンブリは前記前柱に設けられる。
【００２１】
好ましくは、人体自動被覆装置は、前記フィルタによって収集された噴霧を処理する収集噴霧処理装置をさらに備える。
【００２２】
好ましくは、前記ノズルアセンブリに電気加熱部が設置され、プレコートされる液体を加熱してから人体をコーティングすることができる。
【００２３】
本発明の人体自動被覆装置を用いて人体の皮膚を被覆する方法は以下のステップを含む。
（１）所定の人体皮膚ための塗料組成物を提供する。
（２）塗料組成物を希釈し加熱する。
（３）所定の速度で人体皮膚の美白／増白組成物を霧化する。
（４）霧化した組成物を被覆対象の身体の少なくとも一部に被覆する。
（５）人体に被覆されていない霧化噴霧を収集する。
（６）被覆対象の身体に堆積していない部分霧化噴霧を収集する。
【００２４】
好ましくは、塗料組成物は所定の老化防止組成物である。
【００２５】
好ましくは、塗料組成物を霧化するステップにおいて、少なくとも一つのＨＶＬＰノズルと少なくとも一つの気孔で霧化噴霧を発生させる。
【００２６】
好ましくは、塗料組成物を霧化するステップにおいて、複数のＨＶＬＰノズルと気孔で霧化噴霧を発生させる。
【００２７】
好ましくは、塗料組成物は、所定の皮膚増白組成物である。
【００２８】
好ましくは、所定の人体皮膚塗料組成物は、皮膚増白、皮膚美白、日焼け止め、および水を含むバランシング組成物を含む。
【００２９】
好ましくは、本発明は塗料組成物が複数の小径孔を通過するように設定される。
【発明の効果】
【００３０】
本発明の人体自動被覆装置及び人体自動被覆方法は、以下の利点を有する。
１．本発明の人体自動被覆装置は、均一に全身の皮膚を簡単に被覆することができ、増粘剤やポリマーなどの不要な成分を減らすことができ、周囲に環境の影響を受けない。
２．ノズルアセンブリの移動部と回転部は、人の体全体に均一に液体を塗布することを確保する。
３．人体自動被覆装置は、垂直方向、水平方向または径方向に整列する二つ以上のノズルアセンブリを備え、より広い面積で被覆することができると同時に、レールに沿ってまたはノズルアセンブリの角度を速く変えることによって、一つまたは複数のノズルアセンブリを迅速に移動することができる。
４．電磁弁は流速と流量を制御して、液体を皮膚塗布する濃度と速度において使用者の要求を満たすことができる。
５．電磁弁と接続する配管の他端に製剤組成バランス装置が接続されている。製剤組成バランス装置は水、アルコールなどの物質を多口継手で混合し、混合したものを霧化ノズルで人体に塗布することができ、製剤を希釈し、塗布濃度を調節することで、自分に合う塗布厚さを選ぶことができる。
６．人体自動被覆装置にノズルアセンブリのスイッチが設けられ、ノズルアセンブリのスイッチは各ノズルアセンブリの噴射を個別に制御できる。あるノズルアセンブリを作動させると同時に、あるノズルアセンブリが停止させることができる。
７．人体自動被覆装置は排気ファン(循環装置)やフィルタを備えて、人体の皮膚に被覆されていない噴霧を回収して、資源を節約して、環境を保護することができる。
８．霧化ノズルの横に電気加熱部が設置され、プレコートされる液体を加熱してから人体をコーティングすることができ、ユーザーに快適性を高めることができる。
９．本発明はＨＶＬＰノズルと気孔で霧化噴霧を発生させることで、塗料組成物をより均一に人体の皮膚に塗布することができる。
【図面の簡単な説明】
【００３１】
【図１】本発明の人体の皮膚を自動的に被覆する方法のフローチャート。
【図２】本発明の人体自動被覆装置の模式図。
【図３】本発明が密封装置を備える場合人体の皮膚被覆を示す図。
【図４】本発明が更に排気ファンを備える場合人体の皮膚被覆を示す図。
【図５】本発明が更にフィルタを備える場合人体の皮膚被覆を示す図。
【図６】本発明が二つの霧化ノズルを備える場合人体の皮膚被覆を示す図。
【図７】本発明の二つの霧化ノズルの中一つが動作して人体の部分皮膚を選択して人体の皮膚を被覆する装置を示す図。
【図８】本発明の人体自動被覆装置の側面図。
【図９】図８に示す人体自動被覆装置の平面図。
【図１０】人体自動被覆装置のスプレー塔の模式図。
【図１１】図１０に示す人体を自動的に塗布する装置のスプレー塔に使用するノズルアセンブリの拡大図。
【発明を実施するための形態】
【００３２】
図２〜図１１に示すように、本発明が開示した人体自動被覆装置は、以下の符号の説明の部品を備えている。
【００３３】
本発明は、添付の図面および具体的な実施例を参照して以下でさらに詳細に記載している。なお、以下に記載する本発明の各実施例に係る技術的特徴は、互いに矛盾しない限り、互いに組み合わせることが可能である。
【００３４】
本発明は、人体を自動的に被覆するための装置とその方法を提供する。人体自動被覆装置と被覆方法は、人体のすべてまたは選択された部位を均一かつ迅速に被覆する。人体自動被覆装置は化学組成物を霧化し、人体の全部または選定部位に均一に塗布する。本発明の装置と方法は、ユーザーが施術を受ける必要がなく、他人が手動で操作する必要もない。また、本発明は残留物を抑制し、作動中に残留物を収集する。
【００３５】
本発明の人体自動被覆装置は被覆室２６、製剤容器３０及び少なくとも一つのノズルアセンブリを備える。被覆室２６は人の身体全体を収容しカバーする。製剤容器３０は人体の皮膚に塗布する液体状製剤を収容するための容器である。少なくとも一つのノズルアセンブリは、塗布室２６の中に設置され、製剤容器３０からプレコート液を受入し、被覆室内の人の体の皮膚に噴射するためのものである。
【００３６】
好ましくは、人体自動被覆装置は、人体全体に被覆される液体を均一に被覆するように、被覆される人の身体に対してほぼ水平または垂直な平面でノズルアセンブリを連続的に移動するノズルアセンブリ移動部および／または回転部を含む。
【００３７】
好ましくは、人体自動被覆装置は、垂直方向、水平方向または径方向に整列する二つ以上のノズルアセンブリを備え、より広い面積で被覆することができると同時に、レールに沿ってまたはノズルアセンブリの角度を速く変えることによって、一つまたは複数のノズルアセンブリを迅速に移動させることができる。
【００３８】
好ましくは、ノズルアセンブリは、霧化ノズル１１、多口継手３２、逆止弁３１及び電磁弁３３を含む。多口継手３２の第一端は霧化ノズル１１に接続され、多口継手３２の第二端は逆止弁３１の一端に接続され、逆止弁３１の他端は製剤容器３０に接続され、製剤容器３０は逆止弁３１に接続され、多口継手３２の第三端は電磁弁３３に接続される配管に接続される。電磁弁３３は流速と流量を制御するためのものである。
【００３９】
好ましくは、電磁弁３３に接続する配管の他端に製剤組成バランス装置が接続される。製剤組成バランス装置は、水やアルコールなどの物質を多口継手で混合し、混合したものを霧化ノズルで人体に塗布することができ、製剤を希釈し、塗布濃度を調節することで、自分に合う塗布厚さに設定することができる。
【００４０】
好ましくは、人体自動被覆装置には、ノズルアセンブリのスイッチが設けられる。ノズルアセンブリのスイッチは各ノズルアセンブリの噴射を個別に制御できる。あるノズルアセンブリを作動させると同時に、あるノズルアセンブリを停止させることができる。
【００４１】
好ましくは、人体自動被覆装置は、霧化ノズルから噴出された液体と被覆対象者の体の周囲の空気を独立に循環させる循環装置を含み、循環装置によって霧化ノズルから噴出されたが人体の皮膚に吸収されない残留噴霧を収集する。人体自動被覆装置は、被覆室内で霧化ノズルから噴出されたが人の皮膚に受けられていない部分噴霧を収集するための収集部をさらに含む。循環装置は排気ファン１９であり、収集部は排気ファンの隣に設けられるフィルタ２０である。本発明は人体の皮膚に塗布されていない噴霧を回収し、資源を節約し、環境を保護することができる。
【００４２】
好ましくは、人体自動被覆装置はフィルタ２０によって収集された噴霧を処理する収集噴霧処理装置をさらに備える。
【００４３】
好ましくは、ノズルアセンブリには電気加熱部が設置され、プレコートされる液体を加熱して人体をコーティングすることができ、ユーザーの快適性を高めることができる。
【００４４】
好ましくは、被覆室は、天板１７、底板１６、側板１８、開口２７、前柱１４及び後柱１５を含む。開口２７は、被覆対象が出入りするための出入口であり、ノズルアセンブリは前柱に設けられる。図５に示すように、霧状液体１２は霧化されて噴霧され、被覆対象１３は被塗布者である。本発明では被覆対象１３が被塗布者又は被塗布者の皮膚などを指し、他の動物や物品も被塗布者の対象として適用できる。
【００４５】
本発明の人体自動被覆装置を用いて人体の皮膚を被覆する方法は以下のステップを含む。
（１）所定の人体皮膚ための塗料組成物を提供する。
（２）塗料組成物を希釈し加熱する。
（３）所定の速度で人体皮膚の美白／増白組成物を霧化する。
（４）霧化した組成物を被覆対象の身体の少なくとも一部に被覆する。
（５）人体に被覆されていない霧化噴霧された霧を収集する。
（６）被覆対象の身体に堆積していない部分霧化噴霧された霧を収集する。
【００４６】
塗料組成物は皮膚美白／増白組成物を所定の老化防止組成物に置き換えてよい。
【００４７】
好ましくは、塗料組成物を霧化するステップは、ＨＶＬＰノズルと気孔で霧化噴霧した霧を発生させる。塗料組成物を霧化するステップは、さらに複数のＨＶＬＰノズルと気孔で塗料組成物を霧化し、よって塗料組成物をより均一に人体の皮膚に塗布ことができる。
【００４８】
好ましくは、塗料組成物（コーティング組成物）は、所定の皮膚増白組成物である。
【００４９】
好ましくは、所定の人体皮膚塗料組成物は、皮膚増白、皮膚美白、日焼け止め、および水を含むバランシング組成物を含む。
【００５０】
好ましくは、本発明は所定の塗料組成物が複数の小径孔を通過するように設定される。
【００５１】
本発明は側板、天板及び底板で安全なチャンバー室を構成し、噴霧抑制の役割を果たす。噴霧を抑制するにはいくつかの重要な理由ある。限定しないが、この理由には、無駄を減らすことと、周囲の環境や染めやすいところに噴射しないことと、収集と回収に協力することと、気流をよりよく制御することと、温度と湿度の制御がより良くなることと、このような抑制は閉囲区域で塗布物質が環境に影響を与えるのを防ぐために便利であることがある。
【００５２】
空気と噴射流量を制御することは、皮膚コーティング層の品質に非常に重要である。図４は、いくつかの顕著な利点をもたらす排気ファン１９を示す。これらの利点は、限定しないが、気流をより良く制御することと、より少ない時間で換気し又はフィルタや空気配管で換気し、皮膚に被覆した成分がより早く乾燥することと、より良い塗料を提供できることを含む。排気ファンは被覆室中の残留塗料組成物の除去を速やかに行うために用いられる。
【００５３】
ビーチや公園などのオープンな環境では、本発明の人体自動被覆装置を適用することもでき、すぐに人体を被覆することができる。歩いて人体自動被覆装置を通過することが可能なシステムを設置でき、霧化噴霧は一列に配置された複数のノズルで実現することができる。
【００５４】
図８、図９、図１０および図１１は、本発明の人体自動被覆装置を示す。人体自動被覆装置２５は人を収容する被覆室２６を含み、被覆室２６内にいる人の皮膚に所定の物質を噴射し、所定の物質で被覆する一体構造である。
【００５５】
被覆室２６は被覆室の開口２７を含み、開口２７は入口と出口を形成する。被覆室２６にはさらに複数の霧化ノズル１１が設けられる。図８に示すように、霧化ノズル１１は垂直方向に離間して配置される。霧化ノズルの数やすべての霧化ノズルが噴霧するかどうかは本発明の最も重要な要素ではなく、他の霧化ノズルの配置方式も本発明に適用できる。
【００５６】
好ましくは、霧化ノズルは、バー２９により所定の円弧と可動部材２８を介して旋回する。図９に示すように、被覆室２６にあるバー２９と可動部材２８が霧化ノズル１１に接続され、水平方向または垂直方向に霧化ノズル１１は移動できる。プレコートされる物質は、霧化ノズル１１から排出される。
【００５７】
図１０及び図１１に示すように、被覆室内にプレコートされる材料は製剤容器３０に液体として収容され、多口継手３２は液体と気体のそれぞれの供給通路を形成し、電磁弁３３が作動すると、電磁弁３３で空気が供給されて逆止弁３１から液体が霧化ノズル１１に導かれる。理想的には、製剤容器３０からの液体はすべて霧化ノズル１１から排出され、被覆室２６内の人体に受け入れられる。実際には、効率１００％の被覆プロセスにはならない。霧化ノズルから吐出された余分な液体は、霧化ノズル１１の水平方向にある排気ファン１９によって排出され、フィルタ２０で収集される。
【００５８】
図１０及び図１１に示すように、各ノズルアセンブリは、電磁弁３３が供給した空気の動作で製剤容器３０から液体を受け取る多口継手３２を備える。逆止弁３１は、液体が多口継手３２を介して逆流することを防止する。前柱１４には複数の霧化ノズル１１が設けられる。
【００５９】
本発明を利用することで得られるいくつかの主要な利点は、統一のアプリケーションでストライプを最小化または除去することができ、助手不要で組成物を触れ、皮膚表面全体が組成物と同様の接触を受け、コーティングの均一性が手動よりも大幅に向上する。霧化に最適な処理は簡単で、塗布材料の効力を抑える成分を加える必要はなく、装置の施術時間は数秒に短縮でき、わずか数分で完全に乾燥する可能性がある。閉囲システムは不要な環境影響を徹底的に減らす。複数のアプリケーションを使用して、単位面積あたりに適用される材料の量をより適切に制御することができ、また、単独のアプリケーションで別の物質を使用することもできる。
【００６０】
以上の記載は、単に本発明の好ましい実施例に過ぎず、本発明の技術範囲をいっさい限定するものでない。ゆえに、本発明の特許請求の範囲と明細書に基づいて為した変更や修飾は、いずれも本発明のカバー範囲に属するべきである。
【００６１】
（付記）
（付記１）
人の身体全体を収容しカバーする被覆室と、
人体の皮膚に塗布する液体状製剤を収容する製剤容器と、
前記被覆室に設けられ、前記製剤容器からプレコート液を受入して前記被覆室内の人の体の皮膚に噴射する少なくとも一つのノズルアセンブリと、を備える、
ことを特徴とする人体自動被覆装置。
【００６２】
（付記２）
人体全体に被覆される液体を均一に被覆するように、被覆される人の身体に対してほぼ水平または垂直な平面で前記ノズルアセンブリを連続的に移動するノズルアセンブリ移動部および／または回転部をさらに含む、
ことを特徴とする付記１に記載の人体自動被覆装置。
【００６３】
（付記３）
垂直方向、水平方向または径方向に整列する二つ以上の前記ノズルアセンブリを備える、
ことを特徴とする付記１に記載の人体自動被覆装置。
【００６４】
（付記４）
前記ノズルアセンブリは霧化ノズル、多口継手、逆止弁及び電磁弁を含み、前記多口継手の第一端は前記霧化ノズルに接続され、前記多口継手の第二端は前記逆止弁の一端に接続され、前記逆止弁の他端は前記製剤容器に接続され、前記製剤容器は前記逆止弁に接続され、前記多口継手の第三端は前記電磁弁に接続する配管に接続される、
ことを特徴とする付記１乃至３のいずれか１つに記載の人体自動被覆装置。
【００６５】
（付記５）
前記電磁弁に接続する配管の他端に製剤組成バランス装置が接続される、
ことを特徴とする付記４に記載の人体自動被覆装置。
【００６６】
（付記６）
前記ノズルアセンブリのスイッチが設けられ、
前記ノズルアセンブリの前記スイッチは各前記ノズルアセンブリの噴射を個別に制御できる、
ことを特徴とする付記１に記載の人体自動被覆装置。
【００６７】
（付記７）
前記霧化ノズルから噴出された液体と被覆対象の体の周囲の空気を独立に循環させる循環装置を含み、
前記循環装置によって前記霧化ノズルから噴出されたが人体の皮膚に吸収されない残留噴霧を収集する、
ことを特徴とする付記１に記載の人体自動被覆装置。
【００６８】
（付記８）
前記循環装置は排気ファンである、
ことを特徴とする付記７に記載の人体自動被覆装置。
【００６９】
（付記９）
前記被覆室内で前記霧化ノズルから噴出されたが人の皮膚に受けられていない部分噴霧を収集する収集部をさらに含む、
ことを特徴とする付記１に記載の人体自動被覆装置。
【００７０】
（付記１０）
前記収集部は排気ファンの隣に設けられるフィルタである、
ことを特徴とする付記９に記載の人体自動被覆装置。
【００７１】
（付記１１）
前記フィルタによって収集された噴霧を処理する収集噴霧処理装置をさらに備える、
ことを特徴とする付記１０に記載の人体自動被覆装置。
【００７２】
（付記１２）
前記被覆室は天板、底板、側板、開口、前柱及び後柱を含み、前記開口は被覆対象が出入りするための出入口であり、前記ノズルアセンブリは前記前柱に設けられる、
ことを特徴とする付記１に記載の人体自動被覆装置。
【００７３】
（付記１３）
前記ノズルアセンブリに電気加熱部が設置され、プレコートされる液体を加熱してから人体をコーティングすることができる、
ことを特徴とする付記１に記載の人体自動被覆装置。
【００７４】
（付記１４）
付記１乃至１３のいずれか１つに記載の人体自動被覆装置を使用して、
所定の人体皮膚ための塗料組成物を提供するステップ（１）と、
所定の速度で人体皮膚の前記塗料組成物を霧化するステップ（２）と、
霧化した組成物を被覆対象の身体の少なくとも一部に被覆するステップ（３）と、
人体に被覆されていない霧化噴霧を収集するステップ（４）と、
被覆対象の身体に堆積していない部分霧化噴霧を収集するステップ（５）と、を含む、
ことを特徴とする人体自動被覆方法。
【００７５】
（付記１５）
前記ステップ（１）と前記ステップ（２）との間で、さらに前記塗料組成物を希釈し加熱する、
ことを特徴とする付記１４に記載の人体自動被覆方法。
【００７６】
（付記１６）
前記塗料組成物は所定の老化防止組成物である、
ことを特徴とする付記１４に記載の人体自動被覆方法。
【００７７】
（付記１７）
前記塗料組成物を霧化する前記ステップ（２）において、少なくとも一つのＨＶＬＰノズルと少なくとも一つの気孔で霧化噴霧を発生させる、
ことを特徴とする付記１４に記載の人体自動被覆方法。
【００７８】
（付記１８）
前記塗料組成物は所定の皮膚増白組成物である、
ことを特徴とする付記１４に記載の人体自動被覆方法。
【００７９】
（付記１９）
前記塗料組成物は、皮膚増白、皮膚美白、日焼け止め、および水を含むバランシング組成物を含む、
ことを特徴とする付記１４に記載の人体自動被覆方法。
【００８０】
（付記２０）
前記塗料組成物が複数の小径孔を通過する、
ことを特徴とする付記１４に記載の人体自動被覆方法。
【符号の説明】
【００８１】
１１−霧化ノズル、１２−霧状液体、１３−被覆対象、１４−前柱、１５−後柱、１６−底板、１７−天板、１８−側板、１９−排気ファン、２０−フィルタ、２５−人体自動被覆装置、２６−被覆室、２７−開口、２８−可動部材、２９−バー、３０−製剤容器、３１−逆止弁、３２−多口継手、３３−電磁弁
【図１】
2019533574.tif 000003
【図２】
2019533574.tif 000004
【図３】
2019533574.tif 000005
【図４】
2019533574.tif 000006
【図５】
2019533574.tif 000007
【図６】
2019533574.tif 000008
【図７】
2019533574.tif 000009
【図８】
2019533574.tif 000010
【図９】
2019533574.tif 000011
【図１０】
2019533574.tif 000012
【図１１】
2019533574.tif 000013
【国際調査報告】
2019533574.tif 000014
2019533574.tif 000015
2019533574.tif 000016
2019533574.tif 000017